(57)【要約】【課題】鉛筆書きできて利便性を高めることができ、しかも小ロットで生産できるとともに、色調の種類を増やすことができるマグネットシートを提供する。【解決手段】  樹脂フィルム３の表面に設けられた紙製のシート（以下、「紙シート」と略称す）４を備えている。紙シート４は、文字通り紙製であって、適宜の厚みで種々の色のものが選択的に採用される。したがって、このマグネットシート１は、マグネット本体２と、樹脂フィルム３と、紙シート４との三層構造で形成されている。【選択図】        図１
0003123785.tif 000002
【実用新案登録請求の範囲】
【請求項１】
磁性を有するシート状のマグネット本体と、該マグネット本体の一方の面に貼着された樹脂フィルムと、該樹脂フィルムの表面に貼着された紙製のシートとからなることを特徴とするマグネットシート。
【請求項２】
前記樹脂フィルムは、白色で染色された塩化ビニール製であることを特徴とする請求項１記載のマグネットシート。
【考案の詳細な説明】
【技術分野】
【０００１】
本考案は、マグネットシートに係り、特にシート状のマグネット本体と、該マグネット本体の一方の面に貼着された樹脂フィルムとを有するマグネットシートに関するものである。
【背景技術】
【０００２】
一般に、着磁性を有するシート、つまり、磁性体面であればどこにでも着脱自在に磁着させることができるという利便性を有するマグネットシートがある。このマグネットシートは、家庭においては例えば冷蔵庫の扉のような磁着できる場所、またオフィスにあっては磁着性を有する黒板や机などに広く使用されている（例えば、特許文献１参照。）。
【０００３】
従来のマグネットシートの一構成例を図２に示す。図２において、このマグネットシート１０は、例えば合成樹脂材にフェライト等の磁性材を混合して形成されたマグネット本体１１と、このマグネット本体１１の表面に貼着され、塩化ビニールによって形成された樹脂フィルムとを備えている。この場合、樹脂フィルムとして、一般的な塩化ビニール製のものを用いた場合、マグネット本体との収縮率が大きく異なるため、マグネット本体に貼着されただけでは反りが生じ、カールしてしまうことから、材質的に可及的に収縮率の差を小さくした特注のものが採用されている。
【０００４】
ところで、マグネットシートにおいて、磁着性を利用して被着体に着磁させることができることから、家庭やオフィスなどで広く利用されているものの、さらなる利便性が要請されている。
しかしながら、上記従来のマグネットシートは、樹脂フィルムが塩化ビニール製であることから、樹脂フィルムの表面上に鉛筆で記入しようとすると、記入することができず、したがって、簡単なメモ代わりとして使用することができないという問題があった。
また、前述したように、樹脂フィルムが特注品の塩化ビニール製であるので、高価なものとなり、仕入れに際してはある程度の量を越えないと入手することができず、そのため、小ロット生産を実現することが困難な問題があった。
さらに、黒褐色のような暗い色調のマグネット本体に０．１ｍｍ厚程度の樹脂フィルムを貼るため、陰遮性の関係上から色調の種類が制限されてしまう。例えば白，赤，青，黄、緑，橙，黒等のような色だけであって、しかも原色近い色に限定されてしまうので、それ以外の色や、また渋みのある色等にすることができないという問題があった。
【特許文献１】特開２００３−９７５３６号公報
【考案の開示】
【考案が解決しようとする課題】
【０００５】
本考案の目的は、上記従来の問題点に鑑み、鉛筆書きできて利便性を高めることができ、しかも小ロットで生産できるとともに、色調の種類を増やすことができるマグネットシートを提供できることにある。
【課題を解決するための手段】
【０００６】
上記課題を解決するために本考案においては、以下の手段を採用した。
即ち、請求項１記載の本考案のマグネットシートは、磁性を有するシート状のマグネット本体と、該マグネット本体の一方の面に貼着された樹脂フィルムと、該樹脂フィルムの表面に貼着された紙製のシートとからなることを特徴とする。
請求項２記載の本考案は、請求項１記載のマグネットシートにおいて、前記樹脂フィルムは、白色で染色された塩化ビニール製であることを特徴とする。
【考案の効果】
【０００７】
本考案によれば、樹脂フィルムの表面が紙製のシートが設けられる構成としたので、鉛筆で記入できるばかりでなく、消しゴムで消すこともできるので、鉛筆によるメモ代わりとすることができ、利便性を高めることができる効果がえられる。
【考案を実施するための最良の形態】
【０００８】
以下、本考案の実施の形態を、図面に基づいて説明する。図１は本考案の第１の実施形態によるマグネットシートを示す断面図である。
図１に示す本実施形態のマグネットシート１は、マグネット本体２と、その表面に設けられた樹脂フィルム３とを備えて構成されている。マグネット本体２は、非塩素系のものからなっており、例えば熱硬化型ゴムからなる合成樹脂にフェライト等からなる磁性材を混合させて０．４〜１．０ｍｍ程度の厚みに成形されている。樹脂フィルム３は、白色のオレフィン系の塩化ビニール製であって、約０．１ｍｍの厚さからなっており、マグネット本体２の表面に接着剤を介して貼着されている。そのため、マグネットシート１としての着磁面は、図１においてマグネット本体２の下面側となる。
【０００９】
そして、本実施形態においては、上記樹脂フィルム３の表面に設けられた紙製のシート（以下、「紙シート」と略称す）４を備えている。紙シート４は、文字通り紙製であって、適宜の厚みで種々の色のものが選択的に採用される。
したがって、このマグネットシート１は、マグネット本体２と、樹脂フィルム３と、紙シート４との三層構造で形成されている。
【００１０】
上記のように構成されたマグネットシート１は、表面側に紙シート４が設けられているので、鉛筆で容易に書くことができるばかりでなく、その記載内容を消しゴムで容易に消すこともできる。
したがって、ボールペンやマジックで書くことができるばかりでなく、鉛筆書きもできるので、鉛筆によるメモ代わりとすることができ、マグネットシートとしての利便性を高めることができる。
【００１１】
また、マグネット本体２の上の樹脂フィルム３上に紙シート４が設けられていることから、紙シート４がマグネット本体２の収縮に応じ樹脂フィルム３を介して伸縮（収縮）することができる。つまり、換言すれば、マグネット本体２と樹脂フィルム３と紙シート４との三層構造とすることにより、紙シート４がマグネット本体２と樹脂フィルム３間の収縮力の相違を緩和吸収できるので、温度等の影響によりマグネットシート１に反りやカールが発生するのを抑制することができる。
【００１２】
さらに、白色からなる樹脂フィルム３上に紙シート４が設けられていると、マグネット本体２の色調に影響されることがなくなり、紙シート４自体の色でそのまま表現することができる。そのため、種々の色調を採用することができ、色調の裕度を確実に高めることができる。例えば、赤，黄，青のような原色のみならず、日本人好みの渋い色調でも採用することができ、色調の裕度を確実に高めることができる（およそ従来の五倍程度の３０数色に拡大可）。しかも、紙シート４として、再生紙を用いることができるので、小ロット生産も可能となる。
なお、上記本考案においては、マグネット本体２，樹脂フィルム３，紙シート４の厚みは任意に選定することができ、上記実施形態に限定されるものではない。
【図面の簡単な説明】
【００１３】
【図１】本考案の第１の実施の形態によるマグネットシートを示す断面図である。
【図２】従来のマグネットシートを示す断面図である。
【符号の説明】
【００１４】
１  マグネットシート
２  マグネット本体
３  樹脂シート
４  紙製のシート
【図１】
0003123785.tif 000003
【図２】
0003123785.tif 000004